(57)【要約】【課題】本発明は改善型の知能盗難防止装置を開示した。【解決手段】箱体と引き出しを含み、前記箱体にノッチが右に向かって多くの引き出しを取り付ける安置溝が設置され、前記安置溝の前後端壁に対称に雌レールが取り付けられ、前記引き出しの前後端面に前記雌レールと係合するサブレールが固定的に取り付けられ、前記引き出しの右端面の下にプルタブが固定的に取り付けられ、前記引き出しにノッチが上に向かう収容筐体が設置され、前記収容筐体の左端壁にノッチが上に向かう第一滑り移動溝が設置され、前記第一滑り移動溝に上下に滑り移動する滑り移動板が取り付けられ、前記滑り移動板にノッチが上に向かう第二滑り移動溝が設置され、前記第二滑り移動溝に上下に滑り移動する距離調整板が取り付けられ、前記滑り移動板に左右に連結し前記第二滑り移動溝の下に位置する距離調整溝が設置され、前記距離調整溝の後端壁にラックが設置され、前記第一滑り移動溝と前記収容筐体の間にスルーホールが設置される。【選択図】図4
2019181121.tif 000002
【特許請求の範囲】
【請求項１】
改善型の知能盗難防止装置であって、箱体と引き出しを含み、前記箱体の底部の四つの角に同時に角ブロックが設置され、前記角ブロックの内底部にねじ穴が設置され、前記ねじ穴に回転ピッチ角が係合し取り付けられ、前記回転ピッチ角が地面が平らではない時に昇降調整を行って、前記箱体の安定性を増加させ、前記箱体にノッチが右に向かって多くの引き出しを取り付ける安置溝が設置され、前記引き出しに軸スリーブ構造が設置され、前記安置溝の前後端壁に対称に雌レールが取り付けられ、前記引き出しの前後端面に前記雌レールと係合するサブレールが固定的に取り付けられ、前記引き出しの右端面の下にプルタブが固定的に取り付けられ、前記引き出しにノッチが上に向かう収容筐体が設置され、前記収容筐体の左端壁にノッチが上に向かう第一滑り移動溝が設置され、前記第一滑り移動溝に上下に滑り移動する滑り移動板が取り付けられ、前記滑り移動板にノッチが上に向かう第二滑り移動溝が設置され、前記第二滑り移動溝に上下に滑り移動する距離調整板が取り付けられ、前記滑り移動板に左右に連結し前記第二滑り移動溝の下に位置する距離調整溝が設置され、前記距離調整溝の後端壁にラックが設置され、前記第一滑り移動溝と前記収容筐体の間にスルーホールが設置され、前記スルーホールにベアリングを通じて第一回転ピン軸が回転が可能なような取り付けられ、前記第一回転ピン軸に内六角溝が設置され、前記スルーホールの内壁に回転筐体が設置され、前記回転筐体に前記第一回転ピン軸と固定的に接続する第一ギアが設置され、前記距離調整溝に左右に延びる第二回転ピン軸が設置され、前記第二回転ピン軸の右端が前記第一回転ピン軸と固定的に接続し、左端が前記第一滑り移動溝の左端壁に回転が可能なような取り付けられ、前記第二回転ピン軸に前記ラックと係合し接続する第二ギアが固定的に取り付けられ、前記回転筐体の上端にロック固定装置が設置され、前記収容筐体の底壁に位置決め装置が設置され、前記位置決め装置は前記収容筐体の底壁に設置され前後に連結する押溝を含み、前記押溝に前後に対称的に前後に滑り移動する押板が取り付けられ、前記押板が相対的に離れる端面に座金が固定的に取り付けられ、前記押溝の右端壁に外部と連結する連結溝が設置され、前記押溝が前記連結溝に近づく所に第三回転ピン軸を通じて巻き輪が回転が可能なような取り付けられ、前記押板の内側端にロープが固定的に取り付けられ、前記ロープが前記巻き輪を迂回し前記プルタブに設置される距離調整輪と固定的に接続し、前記距離調整板の下端面に弾柱が固定的に取り付けられ、前記弾柱の下端が前記第二滑り移動溝の下端壁と固定的に接続し、前記距離調整板の上端面にペタンクが回転が可能なような取り付けられ、前記ロック固定装置は前記回転筐体の頂壁に設置される第三滑り移動溝を含み、前記第三滑り移動溝の右端壁の上に前記収容筐体と連結する第四滑り移動溝が設置され、前記第三滑り移動溝に上下に滑り移動するロックアームが取り付けられ、前記ロックアームの下端に前記第一ギアと係合し接続するロック固定ギアが設置され、前記第四滑り移動溝に前記ロックアームと固定的に接続する滑り移動ブロックが滑り移動し取り付けられ、前記第三滑り移動溝の左端壁に第一案内移動溝が設置され、前記第一案内移動溝に前記ロックアームと固定的に接続する第一案内移動ブロックが滑り移動し取り付けられ、前記第一案内移動ブロックの上端に前記第三滑り移動溝の頂壁と固定的に接続する第一伸張スプリングが固定的に取り付けられ、前記押し溝の左右端壁に対称的に第二案内移動溝が設置され、前記第二案内移動溝に前記押し板と固定的に接続する第二案内移動ブロックが滑り移動し取り付けられ、前記第二案内移動溝に第二案内移動ブロックと相殺する第二伸張スプリングが取り付けられ、前記収容筐体の底壁に前後に対称的に前記連結溝の前後両側に位置する第三案内移動溝が設置され、前記第三案内移動溝に第三案内移動ブロックが滑り移動し取り付けられ、前記第三案内移動ブロックの右端面に右に延びる接続レバーが固定的に取り付けられ、前記接続レバーの右端が前記第三案内移動溝の右端壁を通り抜けて前記距離調整輪と固定的に接続し、前記軸スリーブ構造は前記引き出しの底部端面に固定的に設置される軸スリーブを含み、前記軸スリーブの底部に多くのローラーが設置され、毎組のローラーが前記安置溝の内底壁と相殺し、前記引き出しを引く時の摩擦力を減らし、移動する時の順調性を高めることを特徴とする改善型の知能盗難防止装置。
【発明の詳細な説明】
【技術分野】
【０００１】
本発明は知能盗難防止技術分野に関し、具体的には改善型の知能盗難防止装置に関する。
【背景技術】
【０００２】
いくつかの大型の事務所において多くの知能金庫が設置され、機密文書を保存し、しかし伝統的な知能金庫に多くの引き出しがあり、常に上下に隣接する二つの引き出しの間に大きい隙間が存在し、引き出しに置く文書が後端の隙間から落ちやすく、文書の紛失を引き起こし、非常に大きい弊害が存在し、引き出しを出した後は非固定であり、文書を置くと取り出すことが不便である。
【先行技術文献】
【特許文献】
【０００３】
【特許文献１】中国特許出願公開第102582422号明細書
【発明の概要】
【発明が解決しようとする課題】
【０００４】
上記の技術の不足に対し、本発明は改善型の知能盗難防止装置を提供する。
【課題を解決するための手段】
【０００５】
本発明の改善型の知能盗難防止装置は箱体と引き出しを含み、前記箱体の底部の四つの角に同時に角ブロックが設置され、前記角ブロックの内底部にねじ穴が設置され、前記ねじ穴に回転ピッチ角が係合し取り付けられ、前記回転ピッチ角が地面が平らではない時に昇降調整を行って、これにより前記箱体の安定性を増加させ、前記箱体にノッチが右に向かって多くの引き出しを取り付ける安置溝が設置され、前記引き出しに軸スリーブ構造が設置され、前記安置溝の前後端壁に対称に雌レールが取り付けられ、前記引き出しの前後端面に前記雌レールと係合するサブレールが固定的に取り付けられ、前記引き出しの右端面の下にプルタブが固定的に取り付けられ、前記引き出しにノッチが上に向かう収容筐体が設置され、前記収容筐体の左端壁にノッチが上に向かう第一滑り移動溝が設置され、前記第一滑り移動溝に上下に滑り移動する滑り移動板が取り付けられ、前記滑り移動板にノッチが上に向かう第二滑り移動溝が設置され、前記第二滑り移動溝に上下に滑り移動する距離調整板が取り付けられ、前記滑り移動板に左右に連結し前記第二滑り移動溝の下に位置する距離調整溝が設置され、前記距離調整溝の後端壁にラックが設置され、前記第一滑り移動溝と前記収容筐体の間にスルーホールが設置され、前記スルーホールにベアリングを通じて第一回転ピン軸が回転が可能なような取り付けられ、前記第一回転ピン軸に内六角溝が設置され、前記スルーホールの内壁に回転筐体が設置され、前記回転筐体に前記第一回転ピン軸と固定的に接続する第一ギアが設置され、前記距離調整溝に左右に延びる第二回転ピン軸が設置され、前記第二回転ピン軸の右端が前記第一回転ピン軸と固定的に接続し、左端が前記第一滑り移動溝の左端壁に回転が可能なような取り付けられ、前記第二回転ピン軸に前記ラックと係合し接続する第二ギアが固定的に取り付けられ、前記回転筐体の上端にロック固定装置が設置され、前記収容筐体の底壁に位置決め装置が設置され、前記位置決め装置が前記収容筐体の底壁に設置され前後に連結する押溝を含み、前記押溝に前後に対称的に前後に滑り移動する押板が取り付けられ、前記押板が相対的に離れる端面に座金が固定的に取り付けられ、前記押溝の右端壁に外部と連結する連結溝が設置され、前記押溝が前記連結溝に近づく所に第三回転ピン軸を通じて巻き輪が回転が可能なような取り付けられ、前記押板の内側端にロープが固定的に取り付けられ、前記ロープが前記巻き輪を迂回し前記プルタブに設置される距離調整輪と固定的に接続する。
【０００６】
他の技術方案として前記距離調整板の下端面に弾柱が固定的に取り付けられ、前記弾柱の下端が前記第二滑り移動溝の下端壁と固定的に接続し、前記距離調整板の上端面にペタンクが回転が可能なような取り付けられる。
【０００７】
他の技術方案として前記ロック固定装置は前記回転筐体の頂壁に設置される第三滑り移動溝を含み、前記第三滑り移動溝の右端壁の上に前記収容筐体と連結する第四滑り移動溝が設置され、前記第三滑り移動溝に上下に滑り移動するロックアームが取り付けられ、前記ロックアームの下端に前記第一ギアと係合し接続するロック固定ギアが設置され、前記第四滑り移動溝に前記ロックアームと固定的に接続する滑り移動ブロックが滑り移動し取り付けられ、前記第三滑り移動溝の左端壁に第一案内移動溝が設置され、前記第一案内移動溝に前記ロックアームと固定的に接続する第一案内移動ブロックが滑り移動し取り付けられ、前記第一案内移動ブロックの上端に前記第三滑り移動溝の頂壁と固定的に接続する第一伸張スプリングが固定的に取り付けられる。
【０００８】
他の技術方案として前記押し溝の左右端壁に対称的に第二案内移動溝が設置され、前記第二案内移動溝に前記押し板と固定的に接続する第二案内移動ブロックが滑り移動し取り付けられ、前記第二案内移動溝に第二案内移動ブロックと相殺する第二伸張スプリングが取り付けられる。
【０００９】
他の技術方案として前記収容筐体の底壁に前後に対称的に前記連結溝の前後両側に位置する第三案内移動溝が設置され、前記第三案内移動溝に第三案内移動ブロックが滑り移動し取り付けられ、前記第三案内移動ブロックの右端面に右に延びる接続レバーが固定的に取り付けられ、前記接続レバーの右端が前記第三案内移動溝の右端壁を通り抜けて前記距離調整輪と固定的に接続する。
【００１０】
他の技術方案として前記軸スリーブ構造が前記引き出しの底部端面に固定的に設置される軸スリーブを含み、前記軸スリーブの底部に多くのローラーが設置され、毎組のローラーが前記安置溝の内底壁と相殺し、これにより前記引き出しを引く時の摩擦力を減らし、移動する時の順調性を高める。
【００１１】
本発明の有益な効果は、本発明に係る装置を取り付ける時に、前記距離調整輪を右に引いて、前記距離調整輪が前記ロープを通じて前記押し板を前記押し溝に引き戻して、前記引き出しを前記安置溝に置いて、前記サブレールと前記雌レールを係合し、取付が便利である。
【００１２】
上下に隣接する二つの引き出しの間に大きい隙間がある時に、前記滑り移動ブロックを上に持ち上げて前記ロック固定ギアが前記第一ギアから離れて、外六角レンチを使って前記内六角溝に挿入し前記第一回転ピン軸を回転し、前記第一回転ピン軸が前記第二回転ピン軸と連動して回転し、前記第二回転ピン軸が前記第二ギアと連動して回転し、前記第二ギアが前記ラックを駆動し上に移動し、前記滑り移動板が上に滑り前記ペタンクが上の引き出しの底面と相殺し、上下に隣接する二つの引き出しの間の隙間を減らし、前記滑り移動ブロックを緩めた後に、前記第一伸張スプリングの作用のもとで、前記ロック固定ギアが再び前記第一ギアと噛み合い、前記距離調整板の延出長さを固定する。
【００１３】
引き出しを出す時に、前記距離調整輪を右に引いて、前記距離調整輪が前記ロープを通じて前記押し板を前記押し溝に引き戻して、前記座金が前記安置溝の内壁との接触を離れて、引き出しが適当な位置に出される時に、前記距離調整輪を緩めて、前記第二伸張スプリングの作用のもとで、前記座金が前記安置溝の内壁と相殺し、これにより引き出しの位置を固定し、文書を置くと取り出すことが便利である。
【００１４】
本発明に係る装置の構造が簡単で、使用が便利で、文書の紛失を防ぐ。
【発明の効果】
【００１５】
本発明の有益な効果は、本発明に係る装置を取り付ける時に、前記距離調整輪を右に引いて、前記距離調整輪が前記ロープを通じて前記押し板を前記押し溝に引き戻して、前記引き出しを前記安置溝に置いて、前記サブレールと前記雌レールを係合し、取付が便利である。
【００１６】
上下に隣接する二つの引き出しの間に大きい隙間がある時に、前記滑り移動ブロックを上に持ち上げて前記ロック固定ギアが前記第一ギアから離れて、外六角レンチを使って前記内六角溝に挿入し前記第一回転ピン軸を回転し、前記第一回転ピン軸が前記第二回転ピン軸と連動して回転し、前記第二回転ピン軸が前記第二ギアと連動して回転し、前記第二ギアが前記ラックを駆動し上に移動し、前記滑り移動板が上に滑り前記ペタンクが上の引き出しの底面と相殺し、上下に隣接する二つの引き出しの間の隙間を減らし、前記滑り移動ブロックを緩めた後に、前記第一伸張スプリングの作用のもとで、前記ロック固定ギアが再び前記第一ギアと噛み合い、前記距離調整板の延出長さを固定する。
【００１７】
引き出しを出す時に、前記距離調整輪を右に引いて、前記距離調整輪が前記ロープを通じて前記押し板を前記押し溝に引き戻して、前記座金が前記安置溝の内壁との接触を離れて、引き出しが適当な位置に出される時に、前記距離調整輪を緩めて、前記第二伸張スプリングの作用のもとで、前記座金が前記安置溝の内壁と相殺し、これにより引き出しの位置を固定し、文書を置くと取り出すことが便利である。
【００１８】
本発明に係る装置の構造が簡単で、使用が便利で、文書の紛失を防ぐ。
【図面の簡単な説明】
【００１９】
本発明の実施例また既存の技術の中の技術方案をもっとはっきりと説明するため、下記では実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００２０】
【図１】図１は本発明の改善型の知能盗難防止装置の構造概略図である。
【図２】図２は図１の矢印の方向の構造概略図である。
【図３】図３は図１の距離調整板の拡大構造概略図である。
【図４】図４は本発明の角ブロックの内部構造概略図である。
【発明を実施するための形態】
【００２１】
本明細書に開示した全ての特徴、或いは開示した全ての方法、過程中のステップは、互いに排斥する特徴或いはステップ以外に、いかなる方式で組み合わせることができる。
【００２２】
本明細書に開示した全ての特徴は、特別な記述がない限り、そのほかの同等或いは類似する目的を持つ代替的な特徴に取り替えられる。つまり特別な記述がない限り、全ての特徴はただ一連の同等或いは類似する特徴の中の一つの例だけである。
【００２３】
図1〜4が示すように、本発明の改善型の知能盗難防止装置は箱体10と引き出し16を含み、前記箱体10の底部の四つの角に同時に角ブロック101が設置され、前記角ブロック101の内底部にねじ穴102が設置され、前記ねじ穴102に回転ピッチ角103が係合し取り付けられ、前記回転ピッチ角103が地面が平らではない時に昇降調整を行って、これにより前記箱体10の安定性を増加させ、前記箱体10にノッチが右に向かって多くの引き出し16を取り付ける安置溝11が設置され、前記引き出し16に軸スリーブ構造が設置され、前記安置溝11の前後端壁に対称に雌レール12が取り付けられ、前記引き出し16の前後端面に前記雌レール12と係合するサブレール18が固定的に取り付けられ、前記引き出し16の右端面の下にプルタブ15が固定的に取り付けられ、前記引き出し16にノッチが上に向かう収容筐体17が設置され、前記収容筐体17の左端壁にノッチが上に向かう第一滑り移動溝21が設置され、前記第一滑り移動溝21に上下に滑り移動する滑り移動板28が取り付けられ、前記滑り移動板28にノッチが上に向かう第二滑り移動溝23が設置され、前記第二滑り移動溝23に上下に滑り移動する距離調整板20が取り付けられ、前記滑り移動板28に左右に連結し前記第二滑り移動溝23の下に位置する距離調整溝が設置され、前記距離調整溝の後端壁にラック27が設置され、前記第一滑り移動溝21と前記収容筐体17の間にスルーホールが設置され、前記スルーホールにベアリングを通じて第一回転ピン軸35が回転が可能なような取り付けられ、前記第一回転ピン軸35に内六角溝36が設置され、前記スルーホールの内壁に回転筐体33が設置され、前記回転筐体33に前記第一回転ピン軸35と固定的に接続する第一ギア34が設置され、前記距離調整溝に左右に延びる第二回転ピン軸26が設置され、前記第二回転ピン軸26の右端が前記第一回転ピン軸35と固定的に接続し、左端が前記第一滑り移動溝21の左端壁に回転が可能なような取り付けられ、前記第二回転ピン軸26に前記ラック27と係合し接続する第二ギア25が固定的に取り付けられ、前記回転筐体33の上端にロック固定装置が設置され、前記収容筐体17の底壁に位置決め装置が設置され、前記位置決め装置が前記収容筐体17の底壁に設置され前後に連結する押溝30を含み、前記押溝30に前後に対称的に前後に滑り移動する押板47が取り付けられ、前記押板47が相対的に離れる端面に座金51が固定的に取り付けられ、前記押溝30の右端壁に外部と連結する連結溝13が設置され、前記押溝30が前記連結溝13に近づく所に第三回転ピン軸29を通じて巻き輪31が回転が可能なような取り付けられ、前記押板47の内側端にロープ32が固定的に取り付けられ、前記ロープ32が前記巻き輪31を迂回し前記プルタブ15に設置される距離調整輪14と固定的に接続する。
【００２４】
好ましくは、前記距離調整板20の下端面に弾柱24が固定的に取り付けられ、前記弾柱24の下端が前記第二滑り移動溝23の下端壁と固定的に接続し、前記距離調整板20の上端面にペタンク22が回転が可能なような取り付けられる。
【００２５】
好ましくは、前記ロック固定装置は前記回転筐体33の頂壁に設置される第三滑り移動溝43を含み、前記第三滑り移動溝43の右端壁の上に前記収容筐体17と連結する第四滑り移動溝42が設置され、前記第三滑り移動溝43に上下に滑り移動するロックアーム40が取り付けられ、前記ロックアーム40の下端に前記第一ギア34と係合し接続するロック固定ギアが設置され、前記第四滑り移動溝42に前記ロックアーム40と固定的に接続する滑り移動ブロック41が滑り移動し取り付けられ、前記第三滑り移動溝43の左端壁に第一案内移動溝38が設置され、前記第一案内移動溝38に前記ロックアーム40と固定的に接続する第一案内移動ブロック37が滑り移動し取り付けられ、前記第一案内移動ブロック37の上端に前記第三滑り移動溝43の頂壁と固定的に接続する第一伸張スプリング39が固定的に取り付けられ、前記第一伸張スプリング39が前記第一案内移動ブロック37を下に押圧し前記ロック固定ギアと前記第一ギア34が噛み合う。
【００２６】
好ましくは、前記押し溝30の左右端壁に対称的に第二案内移動溝48が設置され、前記第二案内移動溝48に前記押し板47と固定的に接続する第二案内移動ブロック50が滑り移動し取り付けられ、前記第二案内移動溝48に第二案内移動ブロック50と相殺する第二伸張スプリング49が取り付けられ、前記第二伸張スプリング49が前記第二案内移動ブロック50を外側に押圧し前記ロープ32が引張する。
【００２７】
好ましくは、前記収容筐体17の底壁に前後に対称的に前記連結溝13の前後両側に位置する第三案内移動溝45が設置され、前記第三案内移動溝45に第三案内移動ブロック46が滑り移動し取り付けられ、前記第三案内移動ブロック46の右端面に右に延びる接続レバー44が固定的に取り付けられ、前記接続レバー44の右端が前記第三案内移動溝45の右端壁を通り抜けて前記距離調整輪14と固定的に接続する。
【００２８】
好ましくは、前記軸スリーブ構造が前記引き出し16の底部端面に固定的に設置される軸スリーブ70を含み、前記軸スリーブ70の底部に多くのローラーが設置され、毎組のローラーが前記安置溝11の内底壁と相殺し、これにより前記引き出し16を引く時の摩擦力を減らし、移動する時の順調性を高める。
【００２９】
本発明に係る装置を取り付ける時に、前記距離調整輪14を右に引いて、前記距離調整輪14が前記ロープ32を通じて前記押し板47を前記押し溝30に引き戻して、前記引き出し16を前記安置溝11に置いて、前記サブレール18と前記雌レール12を係合する。
【００３０】
上下に隣接する二つの引き出しの間に大きい隙間がある時に、前記滑り移動ブロック41を上に持ち上げて前記ロック固定ギアが前記第一ギア34から離れて、外六角レンチを使って前記内六角溝36に挿入し前記第一回転ピン軸35を回転し、前記第一回転ピン軸35が前記第二回転ピン軸26と連動して回転し、前記第二回転ピン軸26が前記第二ギア25と連動して回転し、前記第二ギア25が前記ラック27を駆動し上に移動し、前記滑り移動板28が上に滑り前記ペタンク22が上の引き出しの底面と相殺し、上下に隣接する二つの引き出しの間の隙間を減らし、前記滑り移動ブロック41を緩めた後に、前記第一伸張スプリング39の作用のもとで、前記ロック固定ギアが再び前記第一ギア34と噛み合い、前記距離調整板20の延出長さを固定する。
【００３１】
引き出しを出す時に、前記距離調整輪14を右に引いて、前記距離調整輪14が前記ロープ32を通じて前記押し板47を前記押し溝30に引き戻して、前記座金51が前記安置溝の内壁との接触を離れて、引き出しが適当な位置に出される時に、前記距離調整輪14を緩めて、前記第二伸張スプリング49の作用のもとで、前記座金51が前記安置溝の内壁と相殺し、これにより引き出しの位置を固定する。
【００３２】
本発明の有益な効果は、本発明に係る装置を取り付ける時に、前記距離調整輪を右に引いて、前記距離調整輪が前記ロープを通じて前記押し板を前記押し溝に引き戻して、前記引き出しを前記安置溝に置いて、前記サブレールと前記雌レールを係合し、取付が便利である。
【００３３】
上下に隣接する二つの引き出しの間に大きい隙間がある時に、前記滑り移動ブロックを上に持ち上げて前記ロック固定ギアが前記第一ギアから離れて、外六角レンチを使って前記内六角溝に挿入し前記第一回転ピン軸を回転し、前記第一回転ピン軸が前記第二回転ピン軸と連動して回転し、前記第二回転ピン軸が前記第二ギアと連動して回転し、前記第二ギアが前記ラックを駆動し上に移動し、前記滑り移動板が上に滑り前記ペタンクが上の引き出しの底面と相殺し、上下に隣接する二つの引き出しの間の隙間を減らし、前記滑り移動ブロックを緩めた後に、前記第一伸張スプリングの作用のもとで、前記ロック固定ギアが再び前記第一ギアと噛み合い、前記距離調整板の延出長さを固定する。
【００３４】
引き出しを出す時に、前記距離調整輪を右に引いて、前記距離調整輪が前記ロープを通じて前記押し板を前記押し溝に引き戻して、前記座金が前記安置溝の内壁との接触を離れて、引き出しが適当な位置に出される時に、前記距離調整輪を緩めて、前記第二伸張スプリングの作用のもとで、前記座金が前記安置溝の内壁と相殺し、これにより引き出しの位置を固定し、文書を置くと取り出すことが便利である。
【００３５】
本発明に係る装置の構造が簡単で、使用が便利で、文書の紛失を防ぐ。
【００３６】
以上に本発明の基本原理、主な特徴と本発明の長所を表明し説明した。本業界の技術者が了解すべきなのは本発明は上記の実施例の制限を受けなく、上記の実施例と明細書に説明したのは本発明の原理で、本発明の意義と原理から離れない前提に本発明に各種の変化と改善があり、これらの変化と改善が本発明の保護範囲にある。本発明の保護範囲は添付の特許請求の範囲と同等内容に画定される。
【図１】
2019181121.tif 000003
【図２】
2019181121.tif 000004
【図３】
2019181121.tif 000005
【図４】
2019181121.tif 000006
【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
改善型の知能盗難防止装置であって、箱体と引き出しを含み、前記箱体の底部の四つの角に角ブロックが設置され、前記角ブロックの内底部にねじ穴が設置され、前記ねじ穴に回転ピッチ角が係合し取り付けられ、前記回転ピッチ角が地面が平らではない時に昇降調整を行って、前記箱体の安定性を増加させ、前記箱体に開口部が右に向かって多くの引き出しを取り付ける安置溝が設置され、前記引き出しに軸スリーブ構造が設置され、前記安置溝の前後端壁に対称に雌レールが取り付けられ、前記引き出しの前後端面に前記雌レールと係合するサブレールが固定的に取り付けられ、前記引き出しの右端面の下に引張リングが固定的に取り付けられ、前記引き出しに開口部が上に向かう収容筐体が設置され、前記収容筐体の左端壁に開口部が上に向かう第一滑り移動溝が設置され、前記第一滑り移動溝に上下に滑り移動する滑り移動板が取り付けられ、前記滑り移動板に開口部が上に向かう第二滑り移動溝が設置され、前記第二滑り移動溝に上下に滑り移動する距離調整板が取り付けられ、前記滑り移動板に左右に連結し前記第二滑り移動溝の下に位置する距離調整溝が設置され、前記距離調整溝の後端壁にラックが設置され、前記第一滑り移動溝と前記収容筐体の間にスルーホールが設置され、前記スルーホールに軸受けを通じて第一回転ピン軸が回転が可能なように取り付けられ、前記第一回転ピン軸に内六角溝が設置され、前記スルーホールの内壁に回転筐体が設置され、前記回転筐体に前記第一回転ピン軸と固定的に接続する第一ギアが設置され、前記距離調整溝に左右に延びる第二回転ピン軸が設置され、前記第二回転ピン軸の右端が前記第一回転ピン軸と固定的に接続し、左端が前記第一滑り移動溝の左端壁に回転が可能なように取り付けられ、前記第二回転ピン軸に前記ラックと係合し接続する第二ギアが固定的に取り付けられ、前記回転筐体の上端にロック固定装置が設置され、前記収容筐体の底壁に位置決め装置が設置され、前記位置決め装置は前記収容筐体の底壁に設置され前後に連結する押溝を含み、前記押溝に前後に対称的に前後に滑り移動する押板が取り付けられ、前記押板が相対的に離れる端面に座金が固定的に取り付けられ、前記押溝の右端壁に外部と連結する連結溝が設置され、前記押溝が前記連結溝に近づく所に第三回転ピン軸を通じて巻き輪が回転が可能なように取り付けられ、前記押板の内側端にロープが固定的に取り付けられ、前記ロープが前記巻き輪を回して前記引張リングに設置される距離調整輪と固定的に接続し、前記距離調整板の下端面に弾柱が固定的に取り付けられ、前記弾柱の下端が前記第二滑り移動溝の下端壁と固定的に接続し、前記距離調整板の上端面にボールが回転が可能なように取り付けられ、前記ロック固定装置は前記回転筐体の頂壁に設置される第三滑り移動溝を含み、前記第三滑り移動溝の右端壁の上に前記収容筐体と連結する第四滑り移動溝が設置され、前記第三滑り移動溝に上下に滑り移動するロックアームが取り付けられ、前記ロックアームの下端に前記第一ギアと係合し接続するロック固定ギアが設置され、前記第四滑り移動溝に前記ロックアームと固定的に接続する滑り移動ブロックが滑り移動可能なように取り付けられ、前記第三滑り移動溝の左端壁に第一案内移動溝が設置され、前記第一案内移動溝に前記ロックアームと固定的に接続する第一案内移動ブロックが滑り移動可能なように取り付けられ、前記第一案内移動ブロックの上端に前記第三滑り移動溝の頂壁と固定的に接続する第一伸張スプリングが固定的に取り付けられ、前記押し溝の左右端壁に対称的に第二案内移動溝が設置され、前記第二案内移動溝に前記押し板と固定的に接続する第二案内移動ブロックが滑り移動可能なように取り付けられ、前記第二案内移動溝に第二案内移動ブロックと当接する第二伸張スプリングが取り付けられ、前記収容筐体の底壁に前後に対称的に前記連結溝の前後両側に位置する第三案内移動溝が設置され、前記第三案内移動溝に第三案内移動ブロックが滑り移動可能なように取り付けられ、前記第三案内移動ブロックの右端面に右に延びる接続レバーが固定的に取り付けられ、前記接続レバーの右端が前記第三案内移動溝の右端壁を通り抜けて前記距離調整輪と固定的に接続し、前記軸スリーブ構造は前記引き出しの底部端面に固定的に設置される軸スリーブを含み、前記軸スリーブの底部に多くのローラーが設置され、毎組のローラーが前記安置溝の内底壁と当接し、前記引き出しを引く時の摩擦力を減らし、移動する時の順調性を高めることを特徴とする改善型の知能盗難防止装置。
【手続補正２】
【補正対象書類名】明細書
【補正対象項目名】全文
【補正方法】変更
【補正の内容】
【発明の詳細な説明】
【技術分野】
【０００１】
本発明は知能盗難防止技術分野に関し、具体的には改善型の知能盗難防止装置に関する。
【背景技術】
【０００２】
いくつかの大型の事務所において多くの知能金庫が設置され、機密文書を保存し、しかし伝統的な知能金庫に多くの引き出しがあり、常に上下に隣接する二つの引き出しの間に大きい隙間が存在し、引き出しに置く文書が後端の隙間から落ちやすく、文書の紛失を引き起こし、非常に大きい弊害が存在し、引き出しを出した後は非固定であり、文書を置くと取り出すことが不便である。
【先行技術文献】
【特許文献】
【０００３】
【特許文献１】中国特許出願公開第102582422号明細書
【発明の概要】
【発明が解決しようとする課題】
【０００４】
上記の技術の不足に対し、本発明は改善型の知能盗難防止装置を提供する。
【課題を解決するための手段】
【０００５】
本発明の改善型の知能盗難防止装置は箱体と引き出しを含み、前記箱体の底部の四つの角に角ブロックが設置され、前記角ブロックの内底部にねじ穴が設置され、前記ねじ穴に回転ピッチ角が係合し取り付けられ、前記回転ピッチ角が地面が平らではない時に昇降調整を行って、これにより前記箱体の安定性を増加させ、前記箱体に開口部が右に向かって多くの引き出しを取り付ける安置溝が設置され、前記引き出しに軸スリーブ構造が設置され、前記安置溝の前後端壁に対称に雌レールが取り付けられ、前記引き出しの前後端面に前記雌レールと係合するサブレールが固定的に取り付けられ、前記引き出しの右端面の下に引張リングが固定的に取り付けられ、前記引き出しに開口部が上に向かう収容筐体が設置され、前記収容筐体の左端壁に開口部が上に向かう第一滑り移動溝が設置され、前記第一滑り移動溝に上下に滑り移動する滑り移動板が取り付けられ、前記滑り移動板に開口部が上に向かう第二滑り移動溝が設置され、前記第二滑り移動溝に上下に滑り移動する距離調整板が取り付けられ、前記滑り移動板に左右に連結し前記第二滑り移動溝の下に位置する距離調整溝が設置され、前記距離調整溝の後端壁にラックが設置され、前記第一滑り移動溝と前記収容筐体の間にスルーホールが設置され、前記スルーホールに軸受けを通じて第一回転ピン軸が回転が可能なように取り付けられ、前記第一回転ピン軸に内六角溝が設置され、前記スルーホールの内壁に回転筐体が設置され、前記回転筐体に前記第一回転ピン軸と固定的に接続する第一ギアが設置され、前記距離調整溝に左右に延びる第二回転ピン軸が設置され、前記第二回転ピン軸の右端が前記第一回転ピン軸と固定的に接続し、左端が前記第一滑り移動溝の左端壁に回転が可能なように取り付けられ、前記第二回転ピン軸に前記ラックと係合し接続する第二ギアが固定的に取り付けられ、前記回転筐体の上端にロック固定装置が設置され、前記収容筐体の底壁に位置決め装置が設置され、前記位置決め装置が前記収容筐体の底壁に設置され前後に連結する押溝を含み、前記押溝に前後に対称的に前後に滑り移動する押板が取り付けられ、前記押板が相対的に離れる端面に座金が固定的に取り付けられ、前記押溝の右端壁に外部と連結する連結溝が設置され、前記押溝が前記連結溝に近づく所に第三回転ピン軸を通じて巻き輪が回転が可能なように取り付けられ、前記押板の内側端にロープが固定的に取り付けられ、前記ロープが前記巻き輪を回して前記引張リングに設置される距離調整輪と固定的に接続する。
【０００６】
他の技術方案として前記距離調整板の下端面に弾柱が固定的に取り付けられ、前記弾柱の下端が前記第二滑り移動溝の下端壁と固定的に接続し、前記距離調整板の上端面にボールが回転が可能なように取り付けられる。
【０００７】
他の技術方案として前記ロック固定装置は前記回転筐体の頂壁に設置される第三滑り移動溝を含み、前記第三滑り移動溝の右端壁の上に前記収容筐体と連結する第四滑り移動溝が設置され、前記第三滑り移動溝に上下に滑り移動するロックアームが取り付けられ、前記ロックアームの下端に前記第一ギアと係合し接続するロック固定ギアが設置され、前記第四滑り移動溝に前記ロックアームと固定的に接続する滑り移動ブロックが滑り移動可能なように取り付けられ、前記第三滑り移動溝の左端壁に第一案内移動溝が設置され、前記第一案内移動溝に前記ロックアームと固定的に接続する第一案内移動ブロックが滑り移動可能なように取り付けられ、前記第一案内移動ブロックの上端に前記第三滑り移動溝の頂壁と固定的に接続する第一伸張スプリングが固定的に取り付けられる。
【０００８】
他の技術方案として前記押し溝の左右端壁に対称的に第二案内移動溝が設置され、前記第二案内移動溝に前記押し板と固定的に接続する第二案内移動ブロックが滑り移動可能なように取り付けられ、前記第二案内移動溝に第二案内移動ブロックと当接する第二伸張スプリングが取り付けられる。
【０００９】
他の技術方案として前記収容筐体の底壁に前後に対称的に前記連結溝の前後両側に位置する第三案内移動溝が設置され、前記第三案内移動溝に第三案内移動ブロックが滑り移動可能なように取り付けられ、前記第三案内移動ブロックの右端面に右に延びる接続レバーが固定的に取り付けられ、前記接続レバーの右端が前記第三案内移動溝の右端壁を通り抜けて前記距離調整輪と固定的に接続する。
【００１０】
他の技術方案として前記軸スリーブ構造が前記引き出しの底部端面に固定的に設置される軸スリーブを含み、前記軸スリーブの底部に多くのローラーが設置され、毎組のローラーが前記安置溝の内底壁と当接し、これにより前記引き出しを引く時の摩擦力を減らし、移動する時の順調性を高める。
【００１１】
本発明の有益な効果は、本発明に係る装置を取り付ける時に、前記距離調整輪を右に引いて、前記距離調整輪が前記ロープを通じて前記押し板を前記押し溝に引き戻して、前記引き出しを前記安置溝に置いて、前記サブレールと前記雌レールを係合し、取付が便利である。
【００１２】
上下に隣接する二つの引き出しの間に大きい隙間がある時に、前記滑り移動ブロックを上に持ち上げて前記ロック固定ギアが前記第一ギアから離れて、外六角レンチを使って前記内六角溝に挿入し前記第一回転ピン軸を回転し、前記第一回転ピン軸が前記第二回転ピン軸と連動して回転し、前記第二回転ピン軸が前記第二ギアと連動して回転し、前記第二ギアが前記ラックを駆動し上に移動し、前記滑り移動板が上に滑り前記ボールが上の引き出しの底面と当接し、上下に隣接する二つの引き出しの間の隙間を減らし、前記滑り移動ブロックを緩めた後に、前記第一伸張スプリングの作用のもとで、前記ロック固定ギアが再び前記第一ギアと噛み合い、前記距離調整板の延出長さを固定する。
【００１３】
引き出しを出す時に、前記距離調整輪を右に引いて、前記距離調整輪が前記ロープを通じて前記押し板を前記押し溝に引き戻して、前記座金が前記安置溝の内壁との接触を離れて、引き出しが適当な位置に出される時に、前記距離調整輪を緩めて、前記第二伸張スプリングの作用のもとで、前記座金が前記安置溝の内壁と当接し、これにより引き出しの位置を固定し、文書を置くと取り出すことが便利である。
【００１４】
本発明に係る装置の構造が簡単で、使用が便利で、文書の紛失を防ぐ。
【発明の効果】
【００１５】
本発明の有益な効果は、本発明に係る装置を取り付ける時に、前記距離調整輪を右に引いて、前記距離調整輪が前記ロープを通じて前記押し板を前記押し溝に引き戻して、前記引き出しを前記安置溝に置いて、前記サブレールと前記雌レールを係合し、取付が便利である。
【００１６】
上下に隣接する二つの引き出しの間に大きい隙間がある時に、前記滑り移動ブロックを上に持ち上げて前記ロック固定ギアが前記第一ギアから離れて、外六角レンチを使って前記内六角溝に挿入し前記第一回転ピン軸を回転し、前記第一回転ピン軸が前記第二回転ピン軸と連動して回転し、前記第二回転ピン軸が前記第二ギアと連動して回転し、前記第二ギアが前記ラックを駆動し上に移動し、前記滑り移動板が上に滑り前記ボールが上の引き出しの底面と当接し、上下に隣接する二つの引き出しの間の隙間を減らし、前記滑り移動ブロックを緩めた後に、前記第一伸張スプリングの作用のもとで、前記ロック固定ギアが再び前記第一ギアと噛み合い、前記距離調整板の延出長さを固定する。
【００１７】
引き出しを出す時に、前記距離調整輪を右に引いて、前記距離調整輪が前記ロープを通じて前記押し板を前記押し溝に引き戻して、前記座金が前記安置溝の内壁との接触を離れて、引き出しが適当な位置に出される時に、前記距離調整輪を緩めて、前記第二伸張スプリングの作用のもとで、前記座金が前記安置溝の内壁と当接し、これにより引き出しの位置を固定し、文書を置くと取り出すことが便利である。
【００１８】
本発明に係る装置の構造が簡単で、使用が便利で、文書の紛失を防ぐ。
【図面の簡単な説明】
【００１９】
本発明の実施例また既存の技術の中の技術方案をもっとはっきりと説明するため、下記では実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００２０】
【図１】図１は本発明の改善型の知能盗難防止装置の構造概略図である。
【図２】図２は図１の矢印の方向の構造概略図である。
【図３】図３は図１の距離調整板の拡大構造概略図である。
【図４】図４は本発明の角ブロックの内部構造概略図である。
【発明を実施するための形態】
【００２１】
本明細書に開示した全ての特徴、或いは開示した全ての方法、過程中のステップは、互いに排斥する特徴或いはステップ以外に、いかなる方式で組み合わせることができる。
【００２２】
本明細書に開示した全ての特徴は、特別な記述がない限り、そのほかの同等或いは類似する目的を持つ代替的な特徴に取り替えられる。つまり特別な記述がない限り、全ての特徴はただ一連の同等或いは類似する特徴の中の一つの例だけである。
【００２３】
図1〜4が示すように、本発明の改善型の知能盗難防止装置は箱体10と引き出し16を含み、前記箱体10の底部の四つの角に角ブロック101が設置され、前記角ブロック101の内底部にねじ穴102が設置され、前記ねじ穴102に回転ピッチ角103が係合し取り付けられ、前記回転ピッチ角103が地面が平らではない時に昇降調整を行って、これにより前記箱体10の安定性を増加させ、前記箱体10に開口部が右に向かって多くの引き出し16を取り付ける安置溝11が設置され、前記引き出し16に軸スリーブ構造が設置され、前記安置溝11の前後端壁に対称に雌レール12が取り付けられ、前記引き出し16の前後端面に前記雌レール12と係合するサブレール18が固定的に取り付けられ、前記引き出し16の右端面の下に引張リング15が固定的に取り付けられ、前記引き出し16に開口部が上に向かう収容筐体17が設置され、前記収容筐体17の左端壁に開口部が上に向かう第一滑り移動溝21が設置され、前記第一滑り移動溝21に上下に滑り移動する滑り移動板28が取り付けられ、前記滑り移動板28に開口部が上に向かう第二滑り移動溝23が設置され、前記第二滑り移動溝23に上下に滑り移動する距離調整板20が取り付けられ、前記滑り移動板28に左右に連結し前記第二滑り移動溝23の下に位置する距離調整溝が設置され、前記距離調整溝の後端壁にラック27が設置され、前記第一滑り移動溝21と前記収容筐体17の間にスルーホールが設置され、前記スルーホールに軸受けを通じて第一回転ピン軸35が回転が可能なように取り付けられ、前記第一回転ピン軸35に内六角溝36が設置され、前記スルーホールの内壁に回転筐体33が設置され、前記回転筐体33に前記第一回転ピン軸35と固定的に接続する第一ギア34が設置され、前記距離調整溝に左右に延びる第二回転ピン軸26が設置され、前記第二回転ピン軸26の右端が前記第一回転ピン軸35と固定的に接続し、左端が前記第一滑り移動溝21の左端壁に回転が可能なように取り付けられ、前記第二回転ピン軸26に前記ラック27と係合し接続する第二ギア25が固定的に取り付けられ、前記回転筐体33の上端にロック固定装置が設置され、前記収容筐体17の底壁に位置決め装置が設置され、前記位置決め装置が前記収容筐体17の底壁に設置され前後に連結する押溝30を含み、前記押溝30に前後に対称的に前後に滑り移動する押板47が取り付けられ、前記押板47が相対的に離れる端面に座金51が固定的に取り付けられ、前記押溝30の右端壁に外部と連結する連結溝13が設置され、前記押溝30が前記連結溝13に近づく所に第三回転ピン軸29を通じて巻き輪31が回転が可能なように取り付けられ、前記押板47の内側端にロープ32が固定的に取り付けられ、前記ロープ32が前記巻き輪31を回して前記引張リング15に設置される距離調整輪14と固定的に接続する。
【００２４】
好ましくは、前記距離調整板20の下端面に弾柱24が固定的に取り付けられ、前記弾柱24の下端が前記第二滑り移動溝23の下端壁と固定的に接続し、前記距離調整板20の上端面にボール22が回転が可能なように取り付けられる。
【００２５】
好ましくは、前記ロック固定装置は前記回転筐体33の頂壁に設置される第三滑り移動溝43を含み、前記第三滑り移動溝43の右端壁の上に前記収容筐体17と連結する第四滑り移動溝42が設置され、前記第三滑り移動溝43に上下に滑り移動するロックアーム40が取り付けられ、前記ロックアーム40の下端に前記第一ギア34と係合し接続するロック固定ギアが設置され、前記第四滑り移動溝42に前記ロックアーム40と固定的に接続する滑り移動ブロック41が滑り移動可能なように取り付けられ、前記第三滑り移動溝43の左端壁に第一案内移動溝38が設置され、前記第一案内移動溝38に前記ロックアーム40と固定的に接続する第一案内移動ブロック37が滑り移動可能なように取り付けられ、前記第一案内移動ブロック37の上端に前記第三滑り移動溝43の頂壁と固定的に接続する第一伸張スプリング39が固定的に取り付けられ、前記第一伸張スプリング39が前記第一案内移動ブロック37を下に押圧し前記ロック固定ギアと前記第一ギア34が噛み合う。
【００２６】
好ましくは、前記押し溝30の左右端壁に対称的に第二案内移動溝48が設置され、前記第二案内移動溝48に前記押し板47と固定的に接続する第二案内移動ブロック50が滑り移動可能なように取り付けられ、前記第二案内移動溝48に第二案内移動ブロック50と当接する第二伸張スプリング49が取り付けられ、前記第二伸張スプリング49が前記第二案内移動ブロック50を外側に押圧し前記ロープ32が引張する。
【００２７】
好ましくは、前記収容筐体17の底壁に前後に対称的に前記連結溝13の前後両側に位置する第三案内移動溝45が設置され、前記第三案内移動溝45に第三案内移動ブロック46が滑り移動可能なように取り付けられ、前記第三案内移動ブロック46の右端面に右に延びる接続レバー44が固定的に取り付けられ、前記接続レバー44の右端が前記第三案内移動溝45の右端壁を通り抜けて前記距離調整輪14と固定的に接続する。
【００２８】
好ましくは、前記軸スリーブ構造が前記引き出し16の底部端面に固定的に設置される軸スリーブ70を含み、前記軸スリーブ70の底部に多くのローラーが設置され、毎組のローラーが前記安置溝11の内底壁と当接し、これにより前記引き出し16を引く時の摩擦力を減らし、移動する時の順調性を高める。
【００２９】
本発明に係る装置を取り付ける時に、前記距離調整輪14を右に引いて、前記距離調整輪14が前記ロープ32を通じて前記押し板47を前記押し溝30に引き戻して、前記引き出し16を前記安置溝11に置いて、前記サブレール18と前記雌レール12を係合する。
【００３０】
上下に隣接する二つの引き出しの間に大きい隙間がある時に、前記滑り移動ブロック41を上に持ち上げて前記ロック固定ギアが前記第一ギア34から離れて、外六角レンチを使って前記内六角溝36に挿入し前記第一回転ピン軸35を回転し、前記第一回転ピン軸35が前記第二回転ピン軸26と連動して回転し、前記第二回転ピン軸26が前記第二ギア25と連動して回転し、前記第二ギア25が前記ラック27を駆動し上に移動し、前記滑り移動板28が上に滑り前記ボール22が上の引き出しの底面と当接し、上下に隣接する二つの引き出しの間の隙間を減らし、前記滑り移動ブロック41を緩めた後に、前記第一伸張スプリング39の作用のもとで、前記ロック固定ギアが再び前記第一ギア34と噛み合い、前記距離調整板20の延出長さを固定する。
【００３１】
引き出しを出す時に、前記距離調整輪14を右に引いて、前記距離調整輪14が前記ロープ32を通じて前記押し板47を前記押し溝30に引き戻して、前記座金51が前記安置溝の内壁との接触を離れて、引き出しが適当な位置に出される時に、前記距離調整輪14を緩めて、前記第二伸張スプリング49の作用のもとで、前記座金51が前記安置溝の内壁と当接し、これにより引き出しの位置を固定する。
【００３２】
本発明の有益な効果は、本発明に係る装置を取り付ける時に、前記距離調整輪を右に引いて、前記距離調整輪が前記ロープを通じて前記押し板を前記押し溝に引き戻して、前記引き出しを前記安置溝に置いて、前記サブレールと前記雌レールを係合し、取付が便利である。
【００３３】
上下に隣接する二つの引き出しの間に大きい隙間がある時に、前記滑り移動ブロックを上に持ち上げて前記ロック固定ギアが前記第一ギアから離れて、外六角レンチを使って前記内六角溝に挿入し前記第一回転ピン軸を回転し、前記第一回転ピン軸が前記第二回転ピン軸と連動して回転し、前記第二回転ピン軸が前記第二ギアと連動して回転し、前記第二ギアが前記ラックを駆動し上に移動し、前記滑り移動板が上に滑り前記ボールが上の引き出しの底面と当接し、上下に隣接する二つの引き出しの間の隙間を減らし、前記滑り移動ブロックを緩めた後に、前記第一伸張スプリングの作用のもとで、前記ロック固定ギアが再び前記第一ギアと噛み合い、前記距離調整板の延出長さを固定する。
【００３４】
引き出しを出す時に、前記距離調整輪を右に引いて、前記距離調整輪が前記ロープを通じて前記押し板を前記押し溝に引き戻して、前記座金が前記安置溝の内壁との接触を離れて、引き出しが適当な位置に出される時に、前記距離調整輪を緩めて、前記第二伸張スプリングの作用のもとで、前記座金が前記安置溝の内壁と当接し、これにより引き出しの位置を固定し、文書を置くと取り出すことが便利である。
【００３５】
本発明に係る装置の構造が簡単で、使用が便利で、文書の紛失を防ぐ。
【００３６】
以上に本発明の基本原理、主な特徴と本発明の長所を表明し説明した。本業界の技術者が了解すべきなのは本発明は上記の実施例の制限を受けなく、上記の実施例と明細書に説明したのは本発明の原理で、本発明の意義と原理から離れない前提に本発明に各種の変化と改善があり、これらの変化と改善が本発明の保護範囲にある。本発明の保護範囲は添付の特許請求の範囲と同等内容に画定される。
【手続補正書】
【提出日】令和1年6月23日(2019.6.23)
【手続補正１】
【補正対象書類名】特許請求の範囲
【補正対象項目名】全文
【補正方法】変更
【補正の内容】
【特許請求の範囲】
【請求項１】
改善型の知能盗難防止装置であって、箱体と引き出しを含み、前記箱体の底部の四つの角に角ブロックが設置され、前記角ブロックの内底部にねじ穴が設置され、前記ねじ穴に回転ピッチ角が係合し取り付けられ、前記回転ピッチ角が地面が平らではない時に昇降調整を行って、前記箱体の安定性を増加させ、前記箱体に開口部が右に向かって多くの引き出しを取り付ける安置溝が設置され、前記引き出しに軸スリーブ構造が設置され、前記安置溝の前後端壁に対称に雌レールが取り付けられ、前記引き出しの前後端面に前記雌レールと係合するサブレールが固定的に取り付けられ、前記引き出しの右端面の下に引張リングが固定的に取り付けられ、前記引き出しに開口部が上に向かう収容筐体が設置され、前記収容筐体の左端壁に開口部が上に向かう第一滑り移動溝が設置され、前記第一滑り移動溝に上下に滑り移動する滑り移動板が取り付けられ、前記滑り移動板に開口部が上に向かう第二滑り移動溝が設置され、前記第二滑り移動溝に上下に滑り移動する距離調整板が取り付けられ、前記滑り移動板に左右に連結し前記第二滑り移動溝の下に位置する距離調整溝が設置され、前記距離調整溝の後端壁にラックが設置され、前記第一滑り移動溝の右側内壁と前記収容筐体の左側内壁との間にスルーホールが設置され、前記スルーホールに軸受けを通じて第一回転ピン軸が回転が可能なように取り付けられ、前記第一回転ピン軸に内六角溝が設置され、前記スルーホールの内壁に回転筐体が設置され、前記回転筐体に前記第一回転ピン軸と固定的に接続する第一ギアが設置され、前記距離調整溝に左右に延びる第二回転ピン軸が設置され、前記第二回転ピン軸の右端が前記第一回転ピン軸と固定的に接続し、左端が前記第一滑り移動溝の左端壁に回転が可能なように取り付けられ、前記第二回転ピン軸に前記ラックと係合し接続する第二ギアが固定的に取り付けられ、前記回転筐体の上端にロック固定装置が設置され、前記収容筐体の底壁に位置決め装置が設置され、前記位置決め装置は前記収容筐体の底壁に設置され前後に連結する押溝を含み、前記押溝に前後に対称的に前後に滑り移動する押板が取り付けられ、前記押板が相対的に離れる端面に座金が固定的に取り付けられ、前記押溝の右端壁に外部と連結する連結溝が設置され、前記押溝が前記連結溝に近づく所に第三回転ピン軸を通じて巻き輪が回転が可能なように取り付けられ、前記押板の内側端にロープが固定的に取り付けられ、前記ロープが前記巻き輪を回して前記引張リングに設置される距離調整輪と固定的に接続し、前記距離調整板の下端面に弾柱が固定的に取り付けられ、前記弾柱の下端が前記第二滑り移動溝の下端壁と固定的に接続し、前記距離調整板の上端面にボールが回転が可能なように取り付けられ、前記ロック固定装置は前記回転筐体の頂壁に設置される第三滑り移動溝を含み、前記第三滑り移動溝の右側内壁と前記収容筐体の左側内壁との間には第四滑り移動溝が連通し合うように設置され、前記第三滑り移動溝に上下に滑り移動するロックアームが取り付けられ、前記ロックアームの下端に前記第一ギアと係合し接続するロック固定ギアが設置され、前記第四滑り移動溝に前記ロックアームと固定的に接続する滑り移動ブロックが滑り移動可能なように取り付けられ、前記第三滑り移動溝の左端壁に第一案内移動溝が設置され、前記第一案内移動溝に前記ロックアームと固定的に接続する第一案内移動ブロックが滑り移動可能なように取り付けられ、前記第一案内移動ブロックの上端に前記第三滑り移動溝の頂壁と固定的に接続する第一伸張スプリングが固定的に取り付けられ、前記押溝の左右端壁に対称的に第二案内移動溝が設置され、前記第二案内移動溝に前記押板と固定的に接続する第二案内移動ブロックが滑り移動可能なように取り付けられ、前記第二案内移動溝に第二案内移動ブロックと当接する第二伸張スプリングが取り付けられ、前記収容筐体の底壁に前後に対称的に前記連結溝の前後両側に位置する第三案内移動溝が設置され、前記第三案内移動溝に第三案内移動ブロックが滑り移動可能なように取り付けられ、前記第三案内移動ブロックの右端面に右に延びる接続レバーが固定的に取り付けられ、前記接続レバーの右端が前記第三案内移動溝の右端壁を通り抜けて前記距離調整輪と固定的に接続し、前記軸スリーブ構造は前記引き出しの底部端面に固定的に設置される軸スリーブを含み、前記軸スリーブの底部に多くのローラーが設置され、毎組のローラーが前記安置溝の内底壁と当接し、前記引き出しを引く時の摩擦力を減らし、移動する時の順調性を高めることを特徴とする改善型の知能盗難防止装置。
【手続補正２】
【補正対象書類名】明細書
【補正対象項目名】全文
【補正方法】変更
【補正の内容】
【発明の詳細な説明】
【技術分野】
【０００１】
本発明は知能盗難防止技術分野に関し、具体的には改善型の知能盗難防止装置に関する。
【背景技術】
【０００２】
いくつかの大型の事務所において多くの知能金庫が設置され、機密文書を保存し、しかし伝統的な知能金庫に多くの引き出しがあり、常に上下に隣接する二つの引き出しの間に大きい隙間が存在し、引き出しに置く文書が後端の隙間から落ちやすく、文書の紛失を引き起こし、非常に大きい弊害が存在し、引き出しを出した後は非固定であり、文書を置くと取り出すことが不便である。
【先行技術文献】
【特許文献】
【０００３】
【特許文献１】中国特許出願公開第102582422号明細書
【発明の概要】
【発明が解決しようとする課題】
【０００４】
上記の技術の不足に対し、本発明は改善型の知能盗難防止装置を提供する。
【課題を解決するための手段】
【０００５】
本発明の改善型の知能盗難防止装置は箱体と引き出しを含み、前記箱体の底部の四つの角に角ブロックが設置され、前記角ブロックの内底部にねじ穴が設置され、前記ねじ穴に回転ピッチ角が係合し取り付けられ、前記回転ピッチ角が地面が平らではない時に昇降調整を行って、これにより前記箱体の安定性を増加させ、前記箱体に開口部が右に向かって多くの引き出しを取り付ける安置溝が設置され、前記引き出しに軸スリーブ構造が設置され、前記安置溝の前後端壁に対称に雌レールが取り付けられ、前記引き出しの前後端面に前記雌レールと係合するサブレールが固定的に取り付けられ、前記引き出しの右端面の下に引張リングが固定的に取り付けられ、前記引き出しに開口部が上に向かう収容筐体が設置され、前記収容筐体の左端壁に開口部が上に向かう第一滑り移動溝が設置され、前記第一滑り移動溝に上下に滑り移動する滑り移動板が取り付けられ、前記滑り移動板に開口部が上に向かう第二滑り移動溝が設置され、前記第二滑り移動溝に上下に滑り移動する距離調整板が取り付けられ、前記滑り移動板に左右に連結し前記第二滑り移動溝の下に位置する距離調整溝が設置され、前記距離調整溝の後端壁にラックが設置され、前記第一滑り移動溝の右側内壁と前記収容筐体の左側内壁との間にスルーホールが設置され、前記スルーホールに軸受けを通じて第一回転ピン軸が回転が可能なように取り付けられ、前記第一回転ピン軸に内六角溝が設置され、前記スルーホールの内壁に回転筐体が設置され、前記回転筐体に前記第一回転ピン軸と固定的に接続する第一ギアが設置され、前記距離調整溝に左右に延びる第二回転ピン軸が設置され、前記第二回転ピン軸の右端が前記第一回転ピン軸と固定的に接続し、左端が前記第一滑り移動溝の左端壁に回転が可能なように取り付けられ、前記第二回転ピン軸に前記ラックと係合し接続する第二ギアが固定的に取り付けられ、前記回転筐体の上端にロック固定装置が設置され、前記収容筐体の底壁に位置決め装置が設置され、前記位置決め装置が前記収容筐体の底壁に設置され前後に連結する押溝を含み、前記押溝に前後に対称的に前後に滑り移動する押板が取り付けられ、前記押板が相対的に離れる端面に座金が固定的に取り付けられ、前記押溝の右端壁に外部と連結する連結溝が設置され、前記押溝が前記連結溝に近づく所に第三回転ピン軸を通じて巻き輪が回転が可能なように取り付けられ、前記押板の内側端にロープが固定的に取り付けられ、前記ロープが前記巻き輪を回して前記引張リングに設置される距離調整輪と固定的に接続する。
【０００６】
他の技術方案として前記距離調整板の下端面に弾柱が固定的に取り付けられ、前記弾柱の下端が前記第二滑り移動溝の下端壁と固定的に接続し、前記距離調整板の上端面にボールが回転が可能なように取り付けられる。
【０００７】
他の技術方案として前記ロック固定装置は前記回転筐体の頂壁に設置される第三滑り移動溝を含み、前記第三滑り移動溝の右側内壁と前記収容筐体の左側内壁との間には第四滑り移動溝が連通し合うように設置され、前記第三滑り移動溝に上下に滑り移動するロックアームが取り付けられ、前記ロックアームの下端に前記第一ギアと係合し接続するロック固定ギアが設置され、前記第四滑り移動溝に前記ロックアームと固定的に接続する滑り移動ブロックが滑り移動可能なように取り付けられ、前記第三滑り移動溝の左端壁に第一案内移動溝が設置され、前記第一案内移動溝に前記ロックアームと固定的に接続する第一案内移動ブロックが滑り移動可能なように取り付けられ、前記第一案内移動ブロックの上端に前記第三滑り移動溝の頂壁と固定的に接続する第一伸張スプリングが固定的に取り付けられる。
【０００８】
他の技術方案として前記押溝の左右端壁に対称的に第二案内移動溝が設置され、前記第二案内移動溝に前記押板と固定的に接続する第二案内移動ブロックが滑り移動可能なように取り付けられ、前記第二案内移動溝に第二案内移動ブロックと当接する第二伸張スプリングが取り付けられる。
【０００９】
他の技術方案として前記収容筐体の底壁に前後に対称的に前記連結溝の前後両側に位置する第三案内移動溝が設置され、前記第三案内移動溝に第三案内移動ブロックが滑り移動可能なように取り付けられ、前記第三案内移動ブロックの右端面に右に延びる接続レバーが固定的に取り付けられ、前記接続レバーの右端が前記第三案内移動溝の右端壁を通り抜けて前記距離調整輪と固定的に接続する。
【００１０】
他の技術方案として前記軸スリーブ構造が前記引き出しの底部端面に固定的に設置される軸スリーブを含み、前記軸スリーブの底部に多くのローラーが設置され、毎組のローラーが前記安置溝の内底壁と当接し、これにより前記引き出しを引く時の摩擦力を減らし、移動する時の順調性を高める。
【００１１】
本発明の有益な効果は、本発明に係る装置を取り付ける時に、前記距離調整輪を右に引いて、前記距離調整輪が前記ロープを通じて前記押板を前記押溝に引き戻して、前記引き出しを前記安置溝に置いて、前記サブレールと前記雌レールを係合し、取付が便利である。
【００１２】
上下に隣接する二つの引き出しの間に大きい隙間がある時に、前記滑り移動ブロックを上に持ち上げて前記ロック固定ギアが前記第一ギアから離れて、外六角レンチを使って前記内六角溝に挿入し前記第一回転ピン軸を回転し、前記第一回転ピン軸が前記第二回転ピン軸と連動して回転し、前記第二回転ピン軸が前記第二ギアと連動して回転し、前記第二ギアが前記ラックを駆動し上に移動し、前記滑り移動板が上に滑り前記ボールが上の引き出しの底面と当接し、上下に隣接する二つの引き出しの間の隙間を減らし、前記滑り移動ブロックを緩めた後に、前記第一伸張スプリングの作用のもとで、前記ロック固定ギアが再び前記第一ギアと噛み合い、前記距離調整板の延出長さを固定する。
【００１３】
引き出しを出す時に、前記距離調整輪を右に引いて、前記距離調整輪が前記ロープを通じて前記押板を前記押溝に引き戻して、前記座金が前記安置溝の内壁との接触を離れて、引き出しが適当な位置に出される時に、前記距離調整輪を緩めて、前記第二伸張スプリングの作用のもとで、前記座金が前記安置溝の内壁と当接し、これにより引き出しの位置を固定し、文書を置くと取り出すことが便利である。
【００１４】
本発明に係る装置の構造が簡単で、使用が便利で、文書の紛失を防ぐ。
【発明の効果】
【００１５】
本発明の有益な効果は、本発明に係る装置を取り付ける時に、前記距離調整輪を右に引いて、前記距離調整輪が前記ロープを通じて前記押板を前記押溝に引き戻して、前記引き出しを前記安置溝に置いて、前記サブレールと前記雌レールを係合し、取付が便利である。
【００１６】
上下に隣接する二つの引き出しの間に大きい隙間がある時に、前記滑り移動ブロックを上に持ち上げて前記ロック固定ギアが前記第一ギアから離れて、外六角レンチを使って前記内六角溝に挿入し前記第一回転ピン軸を回転し、前記第一回転ピン軸が前記第二回転ピン軸と連動して回転し、前記第二回転ピン軸が前記第二ギアと連動して回転し、前記第二ギアが前記ラックを駆動し上に移動し、前記滑り移動板が上に滑り前記ボールが上の引き出しの底面と当接し、上下に隣接する二つの引き出しの間の隙間を減らし、前記滑り移動ブロックを緩めた後に、前記第一伸張スプリングの作用のもとで、前記ロック固定ギアが再び前記第一ギアと噛み合い、前記距離調整板の延出長さを固定する。
【００１７】
引き出しを出す時に、前記距離調整輪を右に引いて、前記距離調整輪が前記ロープを通じて前記押板を前記押溝に引き戻して、前記座金が前記安置溝の内壁との接触を離れて、引き出しが適当な位置に出される時に、前記距離調整輪を緩めて、前記第二伸張スプリングの作用のもとで、前記座金が前記安置溝の内壁と当接し、これにより引き出しの位置を固定し、文書を置くと取り出すことが便利である。
【００１８】
本発明に係る装置の構造が簡単で、使用が便利で、文書の紛失を防ぐ。
【図面の簡単な説明】
【００１９】
本発明の実施例また既存の技術の中の技術方案をもっとはっきりと説明するため、下記では実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００２０】
【図１】図１は本発明の改善型の知能盗難防止装置の構造概略図である。
【図２】図２は図１の矢印の方向の構造概略図である。
【図３】図３は図１の距離調整板の拡大構造概略図である。
【図４】図４は本発明の角ブロックの内部構造概略図である。
【発明を実施するための形態】
【００２１】
本明細書に開示した全ての特徴、或いは開示した全ての方法、過程中のステップは、互いに排斥する特徴或いはステップ以外に、いかなる方式で組み合わせることができる。
【００２２】
本明細書に開示した全ての特徴は、特別な記述がない限り、そのほかの同等或いは類似する目的を持つ代替的な特徴に取り替えられる。つまり特別な記述がない限り、全ての特徴はただ一連の同等或いは類似する特徴の中の一つの例だけである。
【００２３】
図1〜4が示すように、本発明の改善型の知能盗難防止装置は箱体10と引き出し16を含み、前記箱体10の底部の四つの角に角ブロック101が設置され、前記角ブロック101の内底部にねじ穴102が設置され、前記ねじ穴102に回転ピッチ角103が係合し取り付けられ、前記回転ピッチ角103が地面が平らではない時に昇降調整を行って、これにより前記箱体10の安定性を増加させ、前記箱体10に開口部が右に向かって多くの引き出し16を取り付ける安置溝11が設置され、前記引き出し16に軸スリーブ構造が設置され、前記安置溝11の前後端壁に対称に雌レール12が取り付けられ、前記引き出し16の前後端面に前記雌レール12と係合するサブレール18が固定的に取り付けられ、前記引き出し16の右端面の下に引張リング15が固定的に取り付けられ、前記引き出し16に開口部が上に向かう収容筐体17が設置され、前記収容筐体17の左端壁に開口部が上に向かう第一滑り移動溝21が設置され、前記第一滑り移動溝21に上下に滑り移動する滑り移動板28が取り付けられ、前記滑り移動板28に開口部が上に向かう第二滑り移動溝23が設置され、前記第二滑り移動溝23に上下に滑り移動する距離調整板20が取り付けられ、前記滑り移動板28に左右に連結し前記第二滑り移動溝23の下に位置する距離調整溝が設置され、前記距離調整溝の後端壁にラック27が設置され、前記第一滑り移動溝21の右側内壁と前記収容筐体17の左側内壁との間にスルーホールが設置され、前記スルーホールに軸受けを通じて第一回転ピン軸35が回転が可能なように取り付けられ、前記第一回転ピン軸35に内六角溝36が設置され、前記スルーホールの内壁に回転筐体33が設置され、前記回転筐体33に前記第一回転ピン軸35と固定的に接続する第一ギア34が設置され、前記距離調整溝に左右に延びる第二回転ピン軸26が設置され、前記第二回転ピン軸26の右端が前記第一回転ピン軸35と固定的に接続し、左端が前記第一滑り移動溝21の左端壁に回転が可能なように取り付けられ、前記第二回転ピン軸26に前記ラック27と係合し接続する第二ギア25が固定的に取り付けられ、前記回転筐体33の上端にロック固定装置が設置され、前記収容筐体17の底壁に位置決め装置が設置され、前記位置決め装置が前記収容筐体17の底壁に設置され前後に連結する押溝30を含み、前記押溝30に前後に対称的に前後に滑り移動する押板47が取り付けられ、前記押板47が相対的に離れる端面に座金51が固定的に取り付けられ、前記押溝30の右端壁に外部と連結する連結溝13が設置され、前記押溝30が前記連結溝13に近づく所に第三回転ピン軸29を通じて巻き輪31が回転が可能なように取り付けられ、前記押板47の内側端にロープ32が固定的に取り付けられ、前記ロープ32が前記巻き輪31を回して前記引張リング15に設置される距離調整輪14と固定的に接続する。
【００２４】
好ましくは、前記距離調整板20の下端面に弾柱24が固定的に取り付けられ、前記弾柱24の下端が前記第二滑り移動溝23の下端壁と固定的に接続し、前記距離調整板20の上端面にボール22が回転が可能なように取り付けられる。
【００２５】
好ましくは、前記ロック固定装置は前記回転筐体33の頂壁に設置される第三滑り移動溝43を含み、前記第三滑り移動溝43の右側内壁と前記収容筐体17の左側内壁との間には第四滑り移動溝42が連通し合うように設置され、前記第三滑り移動溝43に上下に滑り移動するロックアーム40が取り付けられ、前記ロックアーム40の下端に前記第一ギア34と係合し接続するロック固定ギアが設置され、前記第四滑り移動溝42に前記ロックアーム40と固定的に接続する滑り移動ブロック41が滑り移動可能なように取り付けられ、前記第三滑り移動溝43の左端壁に第一案内移動溝38が設置され、前記第一案内移動溝38に前記ロックアーム40と固定的に接続する第一案内移動ブロック37が滑り移動可能なように取り付けられ、前記第一案内移動ブロック37の上端に前記第三滑り移動溝43の頂壁と固定的に接続する第一伸張スプリング39が固定的に取り付けられ、前記第一伸張スプリング39が前記第一案内移動ブロック37を下に押圧し前記ロック固定ギアと前記第一ギア34が噛み合う。
【００２６】
好ましくは、前記押溝30の左右端壁に対称的に第二案内移動溝48が設置され、前記第二案内移動溝48に前記押板47と固定的に接続する第二案内移動ブロック50が滑り移動可能なように取り付けられ、前記第二案内移動溝48に第二案内移動ブロック50と当接する第二伸張スプリング49が取り付けられ、前記第二伸張スプリング49が前記第二案内移動ブロック50を外側に押圧し前記ロープ32が引張する。
【００２７】
好ましくは、前記収容筐体17の底壁に前後に対称的に前記連結溝13の前後両側に位置する第三案内移動溝45が設置され、前記第三案内移動溝45に第三案内移動ブロック46が滑り移動可能なように取り付けられ、前記第三案内移動ブロック46の右端面に右に延びる接続レバー44が固定的に取り付けられ、前記接続レバー44の右端が前記第三案内移動溝45の右端壁を通り抜けて前記距離調整輪14と固定的に接続する。
【００２８】
好ましくは、前記軸スリーブ構造が前記引き出し16の底部端面に固定的に設置される軸スリーブ70を含み、前記軸スリーブ70の底部に多くのローラーが設置され、毎組のローラーが前記安置溝11の内底壁と当接し、これにより前記引き出し16を引く時の摩擦力を減らし、移動する時の順調性を高める。
【００２９】
本発明に係る装置を取り付ける時に、前記距離調整輪14を右に引いて、前記距離調整輪14が前記ロープ32を通じて前記押板47を前記押溝30に引き戻して、前記引き出し16を前記安置溝11に置いて、前記サブレール18と前記雌レール12を係合する。
【００３０】
上下に隣接する二つの引き出しの間に大きい隙間がある時に、前記滑り移動ブロック41を上に持ち上げて前記ロック固定ギアが前記第一ギア34から離れて、外六角レンチを使って前記内六角溝36に挿入し前記第一回転ピン軸35を回転し、前記第一回転ピン軸35が前記第二回転ピン軸26と連動して回転し、前記第二回転ピン軸26が前記第二ギア25と連動して回転し、前記第二ギア25が前記ラック27を駆動し上に移動し、前記滑り移動板28が上に滑り前記ボール22が上の引き出しの底面と当接し、上下に隣接する二つの引き出しの間の隙間を減らし、前記滑り移動ブロック41を緩めた後に、前記第一伸張スプリング39の作用のもとで、前記ロック固定ギアが再び前記第一ギア34と噛み合い、前記距離調整板20の延出長さを固定する。
【００３１】
引き出しを出す時に、前記距離調整輪14を右に引いて、前記距離調整輪14が前記ロープ32を通じて前記押板47を前記押溝30に引き戻して、前記座金51が前記安置溝の内壁との接触を離れて、引き出しが適当な位置に出される時に、前記距離調整輪14を緩めて、前記第二伸張スプリング49の作用のもとで、前記座金51が前記安置溝の内壁と当接し、これにより引き出しの位置を固定する。
【００３２】
本発明の有益な効果は、本発明に係る装置を取り付ける時に、前記距離調整輪を右に引いて、前記距離調整輪が前記ロープを通じて前記押板を前記押溝に引き戻して、前記引き出しを前記安置溝に置いて、前記サブレールと前記雌レールを係合し、取付が便利である。
【００３３】
上下に隣接する二つの引き出しの間に大きい隙間がある時に、前記滑り移動ブロックを上に持ち上げて前記ロック固定ギアが前記第一ギアから離れて、外六角レンチを使って前記内六角溝に挿入し前記第一回転ピン軸を回転し、前記第一回転ピン軸が前記第二回転ピン軸と連動して回転し、前記第二回転ピン軸が前記第二ギアと連動して回転し、前記第二ギアが前記ラックを駆動し上に移動し、前記滑り移動板が上に滑り前記ボールが上の引き出しの底面と当接し、上下に隣接する二つの引き出しの間の隙間を減らし、前記滑り移動ブロックを緩めた後に、前記第一伸張スプリングの作用のもとで、前記ロック固定ギアが再び前記第一ギアと噛み合い、前記距離調整板の延出長さを固定する。
【００３４】
引き出しを出す時に、前記距離調整輪を右に引いて、前記距離調整輪が前記ロープを通じて前記押板を前記押溝に引き戻して、前記座金が前記安置溝の内壁との接触を離れて、引き出しが適当な位置に出される時に、前記距離調整輪を緩めて、前記第二伸張スプリングの作用のもとで、前記座金が前記安置溝の内壁と当接し、これにより引き出しの位置を固定し、文書を置くと取り出すことが便利である。
【００３５】
本発明に係る装置の構造が簡単で、使用が便利で、文書の紛失を防ぐ。
【００３６】
以上に本発明の基本原理、主な特徴と本発明の長所を表明し説明した。本業界の技術者が了解すべきなのは本発明は上記の実施例の制限を受けなく、上記の実施例と明細書に説明したのは本発明の原理で、本発明の意義と原理から離れない前提に本発明に各種の変化と改善があり、これらの変化と改善が本発明の保護範囲にある。本発明の保護範囲は添付の特許請求の範囲と同等内容に画定される。